(57)【特許請求の範囲】
【請求項１】
自装置の周辺環境の状態が計測された結果を表す環境情報が示す値が、前記周辺環境の危険性を表す所定の判定条件を満たす場合に、ユーザの視界を覆う透明性を有する物体に関する状態、あるいは、表示装置によって表示され当該視界を構成する視界画像に関する状態が、前記視界の悪化を生じるよう、前記物体に関する状態あるいは前記視界画像に関する状態を変更可能な視界変更装置を制御する際に、
前記物体に水蒸気を噴霧することによって前記物体を透過する可視光の透過率が低下するよう、前記視界変更装置を制御する、あるいは、前記視界画像に関する透明度あるいは色調を変更する画像処理を行うよう、前記視界変更装置を制御する制御手段
を備える視界制御装置。
【請求項２】
前記制御手段は、前記周辺環境の状態が時系列に計測された結果である前記環境情報が示す値が、前記判定条件を満たしたのち、特定の時間を経て、前記判定条件を満たさなくなったときに、前記物体に関する状態、あるいは、前記視界画像に関する状態を、変更前の状態に戻すよう、前記視界変更装置を制御する、
請求項１に記載の視界制御装置。
【請求項３】
前記制御手段は、前記物体に関する状態あるいは前記視界画像に関する状態が前記視界変更装置によって変更されたのち、所定の入力操作を受け付けたときに、前記物体に関する状態あるいは前記視界画像に関する状態を、変更前の状態に戻すよう、前記視界変更装置を制御する、
請求項１または２に記載の視界制御装置。
【請求項４】
請求項１乃至３のいずれかに記載の視界制御装置と、
前記周辺環境の状態を計測した結果に基づいて、前記環境情報を生成する計測装置と、
前記視界変更装置と、
前記物体あるいは前記表示装置と、
を備える視界制御システム。
【請求項５】
情報処理装置によって、
自装置の周辺環境の状態が計測された結果を表す環境情報が示す値が、前記周辺環境の危険性を表す所定の判定条件を満たす場合に、ユーザの視界を覆う透明性を有する物体に関する状態、あるいは、表示装置によって表示され当該視界を構成する視界画像に関する状態が、前記視界の悪化を生じるよう、前記物体に関する状態あるいは前記視界画像に関する状態を変更可能な視界変更装置を制御する際に、
前記物体に水蒸気を噴霧することによって前記物体を透過する可視光の透過率が低下するよう、前記視界変更装置を制御する、あるいは、前記視界画像に関する透明度あるいは色調を変更する画像処理を行うよう、前記視界変更装置を制御する、
視界制御方法。
【請求項６】
自装置の周辺環境の状態が計測された結果を表す環境情報が示す値が、前記周辺環境の危険性を表す所定の判定条件を満たす場合に、ユーザの視界を覆う透明性を有する物体に関する状態、あるいは、表示装置によって表示され当該視界を構成する視界画像に関する状態が、前記視界の悪化を生じるよう、前記物体に関する状態あるいは前記視界画像に関する状態を変更可能な視界変更装置を制御する際に、
前記物体に水蒸気を噴霧することによって前記物体を透過する可視光の透過率が低下するよう、前記視界変更装置を制御する、あるいは、前記視界画像に関する透明度あるいは色調を変更する画像処理を行うよう、前記視界変更装置を制御する制御処理
をコンピュータに実行させる、視界制御プログラム。
【発明の詳細な説明】
【技術分野】
【０００１】
本願発明は、視覚を通して危険を通知する視界制御装置等に関する。
【背景技術】
【０００２】
日常生活における様々な局面において、危険を迅速に察知することは非常に重要である。例えば、触ることによって熱傷になる物体の存在、あるいは、有毒な気体の発生等の危険を察知することが遅れた場合、人命に関わる虞がある。このような危険を、視覚あるいは聴覚等を通して通知する様々な技術が知られている。一般的に人間は、五感のうち、視覚から最も多くの情報を得ているので、特に視覚を通して危険を通知することによって危険を回避する技術への期待が高まっている。
【０００３】
このような技術の一例として、特許文献１には、使用者の視界方向の画像を取得し、取得した画像に基づいて使用者に注意を促す注意情報を生成し、その注意情報を虚像として表示する、拡張現実を体感可能なヘッドマウントディスプレイ装置が開示されている。この装置は、個別に予め用意された危険場所に関する情報を必要とせずに、使用者の視界方向における危険等の注意点を推定することによって、使用者に注意を促す。
【０００４】
また、特許文献２には、車間距離センサが出力した情報から後続車の煽り走行を検出した場合、ドライバの目に後続車が入らないように、ルームミラーによる後方視界を通常状態から変更する運転支援装置が開示されている。この装置は、ドライバの不安感を軽減させることによって、運転ミスによる事故の発生を防止する。
【先行技術文献】
【特許文献】
【０００５】
【特許文献１】特開2014-120786号公報
【特許文献２】特開2010-271906号公報
【発明の概要】
【発明が解決しようとする課題】
【０００６】
上述した特許文献１が示すヘッドマウントディスプレイ装置は、視界を表示する画面において、視界を過度に遮らずにわかりやすく使用者に注意を促すため、アイコンや図形等を、注意を要する場所の近傍に表示する。この場合、使用者は、視界を表示する画面に表示されるアイコンや図形が示す意味を事前に理解していないと、危険を察知することが遅れる虞がある。また、使用者が、注意を要する場所の近傍に表示されたこれらのアイコンや図形を見逃す可能性もある。すなわち、特許文献１に記載された技術は、使用者が危険を着実に察知できるように、その危険を使用者に着実に通知するという課題を解決するには不十分である。また、特許文献２にも、この課題を解決する技術は示されていない。
【０００７】
本願発明の主たる目的は、上述した課題を解決した、視界制御装置等を提供することである。
【課題を解決するための手段】
【０００８】
本願発明の一態様に係る視界制御装置は、自装置の周辺環境の状態が計測された結果を表す環境情報が示す値が、所定の判定条件を満たす場合に、ユーザの視界を覆う透明性を有する物体に関する状態、あるいは、表示装置によって表示され当該視界を構成する視界画像に関する状態が変化するよう、前記物体に関する状態あるいは前記視界画像に関する状態を変更可能な視界変更装置を制御する制御手段を備える。
【０００９】
上記目的を達成する他の見地において、本願発明の一態様に係る視界制御方法は、自装置の周辺環境の状態が計測された結果を表す環境情報が示す値が、所定の判定条件を満たす場合に、ユーザの視界を覆う透明性を有する物体に関する状態、あるいは、表示装置によって表示され当該視界を構成する視界画像に関する状態が変化するよう、前記物体に関する状態あるいは前記視界画像に関する状態を変更可能な視界変更装置を制御する。
【００１０】
また、上記目的を達成する更なる見地において、本願発明の一態様に係る視界制御プログラムは、自装置の周辺環境の状態が計測された結果を表す環境情報が示す値が、所定の判定条件を満たす場合に、ユーザの視界を覆う透明性を有する物体に関する状態、あるいは、表示装置によって表示され当該視界を構成する視界画像に関する状態が変化するよう、前記物体に関する状態あるいは前記視界画像に関する状態を変更可能な視界変更装置を制御する制御処理をコンピュータに実行させる。
【００１１】
更に、本発明は、係る視界制御プログラム（コンピュータプログラム）が格納された、コンピュータ読み取り可能な、不揮発性の記憶媒体によっても実現可能である。
【発明の効果】
【００１２】
本願発明は、使用者が危険を着実に察知できるように、その危険を使用者に通知することを可能とする。
【図面の簡単な説明】
【００１３】
【図１】本願発明の第１の実施形態に係る視界制御システムの構成を示すブロック図である。
【図２】本願発明の第１の実施形態に係る視界制御システムを実装したメガネの斜視図である。
【図３】本願発明の第１の実施形態に係る視界制御システムの動作を示すフローチャートである。
【図４】本願発明の第２の実施形態に係る視界制御装置の構成を示すブロック図である。
【図５】本願発明の各実施形態に係る視界制御装置の制御部及び判定部を実行可能な情報処理装置の構成を示すブロック図である。
【発明を実施するための形態】
【００１４】
以下、本願発明の実施の形態について図面を参照して詳細に説明する。
【００１５】
＜第１の実施形態＞
図１は、第１の実施形態に係る視界制御システム１の構成を概念的に示すブロック図である。本実施形態に係る視界制御システム１は、視界制御装置１０、計測装置２０、視界変更装置３０、及び、メガネレンズ４０を備えている。
【００１６】
メガネレンズ４０は、一般的なメガネレンズである場合もあれば、可視光が透過する透過率を電気的な制御によって変更可能な素材を含むレンズ等である場合もある。本実施形態では、メガネレンズ４０を、例えば自動車のフロントガラスに置き換えてもよい。あるいはまた、本実施形態では、メガネレンズ４０を、周辺の視界を表示するヘッドマウントディスプレイ装置等の表示装置に置き換えてもよい。
【００１７】
計測装置２０は、計測機器２１を備えている。計測機器２１は、周辺環境の状態を計測する機器である。計測機器２１は、例えば、温度や湿度等を計測するセンサである場合もあれば、有毒ガスや放射線等を計測するセンサである場合もある。また、計測機器２１は、例えば、周辺の映像を撮影するカメラである場合もあれば、音を集音するマイクロフォンである場合もある。計測機器２１は、周辺環境の状態を、例えば継続的に計測することができる。この際、計測機器２１は、一定時間毎に計測してもよいし、所定の条件を満たした場合に計測してもよい。計測装置２０は、計測機器２１が計測して得た計測データを、アナログデジタル変換、及び、スケール変換等を行うことによって、環境情報２００を時系列に生成する。計測装置２０は、生成した環境情報２００を、視界制御装置１０へ入力する。
【００１８】
視界変更装置３０は、視界制御装置１０によって制御され、メガネレンズ４０に関する状態を変更する。メガネレンズ４０に関する状態とは、具体的には、例えば、メガネレンズ４０を透過する可視光の透過率である。視界制御システム１が、一般的なメガネレンズ４０、あるいは、自動車のフロントガラスを備えている場合、視界変更装置３０は、例えば水蒸気を噴霧する噴霧器を備える。視界変更装置３０がメガネレンズ４０あるいは自動車のフロントガラスに水蒸気を噴霧することによって、メガネレンズ４０あるいは自動車のフロントガラスを透過する可視光の透過率が低下する。尚、噴霧器が自動車のフロントガラスに水蒸気を噴霧する場合、自動車の運転に支障が出ない程度に、フロントガラスを曇らすようにしなければならない。
【００１９】
また、メガネレンズ４０が、可視光が透過する透過率を電気的な制御によって変更可能な素材を含むレンズである場合、視界変更装置３０は、電気的な制御によって当該透過率を変更する。メガネレンズ４０が含む素材が、電気的な制御によって、透過する可視光の色を変更可能である場合は、視界変更装置３０は、例えば、メガネレンズ４０を通した使用者の視界が、全体或いは略全体に亘って赤くなるように、メガネレンズ４０に関する状態を変更してもよい。
【００２０】
視界制御システム１が、メガネレンズ４０の代わりに周辺の視界を表示するヘッドマウントディスプレイ装置等の表示装置を備えている場合、視界変更装置３０は、この表示装置が表示する画像に関する透明度あるいは色調等を変更する画像処理を行う。
【００２１】
視界変更装置３０は、視界制御装置１０からの指示を受けて、状態を変更したメガネレンズ４０に関する状態を元の状態に戻す。視界変更装置３０は、例えば、メガネレンズ４０を温める機能を備え、曇ったメガネレンズ４０を周辺温度と同じ温度にすることによって、メガネレンズ４０の曇りを解消する。視界変更装置３０は、自動車のフロントガラスの車両外部側を水蒸気によって曇らせた場合、例えば、ワイパーを作動させることによって、フロントガラスの曇りを解消する。視界変更装置３０は、自動車のフロントガラスの車両内部側を水蒸気によって曇らせた場合、例えば、デフロスターを作動させることによって、フロントガラスの曇りを解消する。
【００２２】
視界変更装置３０は、メガネレンズ４０について、可視光が透過する透過率を電気的な制御によって変更した場合、当該透過率を元の値に戻す。視界変更装置３０は、ヘッドマウントディスプレイ装置等の表示装置が表示する画像に関する透明度あるいは色調等を変更する画像処理を行った場合、表示画像を、当該画像処理を行う前の状態に戻す。
【００２３】
上述した通り、視界変更装置３０は、メガネレンズ４０、あるいは、自動車のフロントガラス、あるいは、ヘッドマウントディスプレイ装置等の表示装置が表示する画像に関する状態を変更することによって、使用者の視界の状態を変更する。
【００２４】
視界制御装置１０は、判定部１１、制御部１２、及び、スイッチ１３を備えている。判定部１１、及び、制御部１２は、電子回路の場合もあれば、コンピュータプログラムとそのコンピュータプログラムに従って動作するプロセッサによって実現される場合もある。
【００２５】
判定部１１は、周辺環境の状態が危険であるか否かを判定する際の基準となる判定条件１１０を内部メモリ（図１には不図示）に記憶している。判定条件（判定条件を表す情報）１１０は、例えば、計測機器２１が温度や湿度等を計測するセンサである場合は、温度や湿度等に関する閾値である。判定条件１１０は、例えば、計測機器２１が有毒ガスや放射線等を計測するセンサである場合は、有毒ガスの濃度や放射線量に関する閾値である。判定条件１１０は、例えば、計測機器２１が周辺の映像を撮影するカメラである場合は、刃物等の危険物に関する画像情報である。
【００２６】
判定部１１は、計測装置２０から入力された環境情報２００が示す値が、判定条件１１０を満たすか否かを判定する。判定部１１は、例えば、環境情報２００が示す温度や湿度、あるいは、有毒ガスの濃度や放射線量が、判定条件１１０が示す閾値以上である場合、周辺環境の状態が危険であると判定する。判定部１１は、例えば、環境情報２００が示す周辺の映像に、判定条件１１０が示す刃物等の危険物に関する画像が含まれている場合、周辺環境の状態が危険であると判定する。判定部１２は、判定結果を制御部１２へ入力する。判定部１１は、この判定を一定時間毎に行ってもよいし、所定の条件を満たした場合に行ってもよい。
【００２７】
制御部１２は、判定部１１から入力された判定結果が、周辺環境の状態が危険であることを示す場合、使用者がメガネレンズ４０を通して見る視界の状態が変化するよう、視界変更装置３０を制御する。
【００２８】
制御部１２は、メガネレンズ４０等に関する状態を変更するよう、視界変更装置３０に指示したのち、判定部１１から危険が解消されたことを示す判定結果を入力された場合、視界変更装置３０に、変更した視界の状態を元に戻すように指示する。
【００２９】
スイッチ１３は、使用者が押圧可能なスイッチである。制御部１２は、視界変更装置３０が使用者の視界を変更している最中に、使用者がスイッチ１３を押圧したことを検知する。この場合、制御部１２は、変更した視界の状態を元の状態に戻すように、視界変更装置３０に指示する。この際、制御部１２は、視界の状態を変更している最中であるか否かを示す情報を記憶するメモリを内蔵することによって、視界の状態を変更している最中であるか否かを判断してもよい。あるいは、制御部１２は、メガネレンズ４０等に関する状態を示す情報を視界変更装置３０から入手することによって、視界の状態を変更している最中であるか否かを判断してもよい。
【００３０】
尚、制御部１２は、使用者がスイッチ１３を押圧したことによって、視界の状態が元の状態に戻ったのちは、判定部１１から、新たな危険が発生したことを通知されるまで、視界の状態を変更しないよう、視界変更装置３０を制御する。
【００３１】
本実施形態に係る視界制御システム１をメガネ２に実装した例の斜視図を図２に示す。メガネ２は、フレーム前部に計測装置２０を備え、周辺環境の状態を計測する。メガネ２は、フレーム側部に、視界制御装置１０及び視界変更装置３０を備え、周辺環境に関する危険の状態に応じて、メガネレンズ４０に関する状態を変更することによって、使用者の視界の状態を変更する。メガネ２は、また、変更した視界の状態を元に戻す場合に使用者が押圧するスイッチ１３を、フレーム側部に備えている。
【００３２】
次に図３のフローチャートを参照して、本実施形態に係る視界制御システム１の動作（処理）について詳細に説明する。
【００３３】
計測装置２０は、計測機器２１を使用して周辺環境の状態を計測し、計測機器２１が計測した結果を基に環境情報２００を生成する。計測装置２０は、生成した環境情報２００を視界制御装置１０へ入力する（ステップＳ１０１）。視界制御装置１０における判定部１１は、環境情報２００が示す値が判定条件１１０を満たすか否か確認する。（ステップＳ１０２）。
【００３４】
環境情報２００が示す値が判定条件１１０を満たす場合（ステップＳ１０３でＹｅｓ）、判定部１１は、周辺環境の状態が危険であると判定し、処理はステップＳ１０４へ進む。環境情報２００が示す値が判定条件１１０を満たさない場合（ステップＳ１０３でＮｏ）、判定部１１は、周辺環境の状態が危険でないと判定し、処理はステップＳ１０７へ進む。
【００３５】
視界変更装置３０がまだメガネレンズ４０に関する状態を変更していない場合（ステップＳ１０４でＮｏ）、制御部１２は、メガネレンズ４０に関する状態を変更するよう視界変更装置３０を制御する（ステップＳ１０５）。視界変更装置３０は、メガネレンズ４０に関する状態を変更し（ステップＳ１０６）、全体の処理は終了する。視界変更装置３０が既にメガネレンズ４０に関する状態を変更している場合（ステップＳ１０４でＹｅｓ）、処理はステップＳ１０８へ進む。
【００３６】
視界変更装置３０がまだメガネレンズ４０に関する状態を変更していない場合（ステップＳ１０７でＮｏ）、全体の処理は終了する。視界変更装置３０が既にメガネレンズ２０に関する状態を変更している場合（ステップＳ１０７でＹｅｓ）、制御部１２は、メガネレンズ４０に関する状態を元の状態に戻すよう視界変更装置３０を制御する（ステップＳ１０９）。視界変更装置３０は、メガネレンズ４０に関する状態を元の状態に戻し（ステップＳ１１０）、全体の処理は終了する。
【００３７】
制御部１２が、スイッチ１３が押圧されたことを検知した場合（ステップＳ１０８でＹｅｓ）、処理はステップＳ１０９へ進む。制御部１２が、スイッチ１３が押圧されたことを検知していない場合（ステップＳ１０８でＮｏ）、全体の処理は終了する。
【００３８】
本実施形態に係る視界制御システム１は、使用者が危険を着実に察知できるように、その危険を使用者に通知することができる。その理由は、計測装置２０によって計測された周辺環境の状態から、判定部１１が周辺環境に危険があると判定したときに、制御部１２がメガネレンズ４０に関する状態を変更するよう視界変更装置３０を制御することによって、使用者の視界の状態を変更するからである。
【００３９】
日常生活における様々な局面にいて遭遇する危険を、視覚を通して通知することによって、使用者が危険を迅速に察知することを支援する様々な技術が知られている。しかしながら、危険を使用者に通知したとしても、使用者が通知された内容を理解できない、あるいは、使用者が通知された内容を見逃す可能性がある場合、使用者がその危険を回避できずに人命に関わる虞がある。
【００４０】
これに対して、本実施形態に係る視界制御システム１では、判定部１１が危険を検知したときに、制御部１２は、メガネレンズ４０を曇らす等、使用者の視界の状態を変更する制御を行う。すなわち、本実施形態に係る視界制御装置１０は、視界の状態を変更するという人間の原始的な感覚に直接的に訴えかけることによって、使用者が直感的かつ迅速に危険を察知することを支援する。これにより、本実施形態に係る視界制御装置１０は、使用者が危険を着実に察知できるように、その危険を使用者に通知することができる。尚、視界制御装置１０は、使用者による危険の認識をより確実にすべく、使用者の視界の全体あるいは略全体の状態を変更可能な視界変更装置３０を、使用者の視界の全体あるいは略全体の状態を変更するように制御してもよい。
【００４１】
また、本実施形態に係る視界制御装置１０では、判定部１１が継続的に危険を検知するので、危険を検知したのち、その危険が解消したことも検知する。制御部１２は、判定部１１から危険が発生したことを通知されたタイミングにメガネレンズ４０を通した視界の状態を変更する制御を行ったのち、判定部１１からその危険が解消したことを通知されたタイミングに視界の状態を元に戻す制御を行う。すなわち、本実施形態に係る視界制御装置１０は、必要以上に長い間、視界の状態を変更した状態を維持することによって、使用者に必要以上に不便を強いることを防止できる。
【００４２】
さらに、本実施形態に係る視界制御装置１０では、制御部１２が、スイッチ１３が押圧されたことを検知する。制御部１２は、視界変更装置３０が視界の状態を変更している最中に使用者がスイッチ１３を押圧したときに、視界の状態を元に戻す制御を行う。使用者がスイッチ１３を押圧したときには、使用者は既に危険を察知しているので、たとえその危険が解消していない状態であっても、視界の状態を変更する必要はない。したがって、本実施形態に係る視界制御装置１０は、使用者に必要以上に不便を強いることを防止できる。
【００４３】
＜第２の実施形態＞
図４は、第２の実施形態に係る視界制御装置５０の構成を概念的に示すブロック図である。
【００４４】
本実施形態に係る視界制御装置５０は、制御部５２を備えている。
【００４５】
制御部５２は、自装置の周辺環境の状態が計測された結果を表す環境情報６００を入手する。制御部５２は、環境情報６００が示す値が、所定の判定条件５２０を満たす場合に、ユーザの視界を覆う透明性を有する物体８０に関する状態が変化するよう、視界変更装置７０を制御する。視界変更装置７０は、透明性を有する物体８０に関する状態を変更可能な装置である。尚、視界変更装置７０が状態を変更する対象は、透明性を有する物体８０の代わりに、表示装置によって表示された視界を構成する視界画像であってもよい。
【００４６】
本実施形態に係る視界制御装置５０は、使用者が危険を着実に察知できるように、その危険を使用者に通知することができる。その理由は、制御部５２が、環境情報６００及び判定条件５２０に基づき、周辺環境が危険であると判定したときに、透明性を有する物体８０に関する状態を変更するよう視界変更装置７０を制御することによって、使用者の視界の状態を変更するからである。
【００４７】
＜ハードウェア構成例＞
上述した各実施形態において図１、及び、図４に示した各部は、電子回路を含む専用のＨＷ（ＨａｗｄＷａｒｅ）によって実現することができる。また、少なくとも、判定部１１、及び、制御部１２及び５２は、ソフトウェアプログラムの機能（処理）単位（ソフトウェアモジュール）と捉えることができる。但し、これらの図面に示した各部の区分けは、説明の便宜上の構成であり、実装に際しては、様々な構成が想定され得る。この場合のハードウェア環境の一例を、図５を参照して説明する。
【００４８】
図５は、本発明の模範的な実施形態に係る視界制御装置を実行可能な情報処理装置９００（コンピュータ）の構成を例示的に説明する図である。即ち、図５は、図１及び図４に示した視界制御装置を実現可能なコンピュータ（情報処理装置）の構成であって、上述した実施形態における各機能を実現可能なハードウェア環境を表す。
【００４９】
図５に示した情報処理装置９００は、構成要素として下記を備えている。
・ＣＰＵ（Ｃｅｎｔｒａｌ＿Ｐｒｏｃｅｓｓｉｎｇ＿Ｕｎｉｔ）９０１、
・ＲＯＭ（Ｒｅａｄ＿Ｏｎｌｙ＿Ｍｅｍｏｒｙ）９０２、
・ＲＡＭ（Ｒａｎｄｏｍ＿Ａｃｃｅｓｓ＿Ｍｅｍｏｒｙ）９０３、
・外部装置との通信インタフェース９０４、
・入出力インタフェース９０６、
情報処理装置９００は、これらの構成がバス９０５（通信線）を介して接続された一般的なコンピュータである。
【００５０】
そして、上述した実施形態を例に説明した本発明は、図５に示した情報処理装置９００に対して、次の機能を実現可能なコンピュータプログラムを供給する。その機能とは、その実施形態の説明において参照したブロック構成図（図１、及び、図４）における、判定部１１、及び、制御部１２及び５２、或いはフローチャート（図３）の機能である。本発明は、その後、そのコンピュータプログラムを、当該ハードウェアのＣＰＵ９０１に読み出して解釈し実行することによって達成される。また、当該装置内に供給されたコンピュータプログラムは、読み書き可能な揮発性の記憶メモリ（ＲＡＭ９０３）またはＲＯＭ９０２等の不揮発性の記憶デバイスに格納すれば良い。
【００５１】
また、前記の場合において、当該ハードウェア内へのコンピュータプログラムの供給方法は、現在では一般的な手順を採用することができる。その手順としては、例えば、インターネット等の通信回線を介して外部よりダウンロードする方法等がある。そして、このような場合において、本発明は、係るコンピュータプログラムを構成するコード或いは、そのコードが格納された記憶媒体によって構成されると捉えることができる。
【００５２】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【符号の説明】
【００５３】
１    視界制御システム
１０    視界制御装置
１１    判定部
１１０    判定条件
１２    制御部
１３    スイッチ
２０    計測装置
２１    計測機器
２００    環境情報
３０    視界変更装置
４０    メガネレンズ
２    メガネ
５０    視界制御装置
５２    制御部
５２０    判定条件
６００    環境情報
７０    視界変更装置
８０    透明性を有する物体
９００    情報処理装置
９０１    ＣＰＵ
９０２    ＲＯＭ
９０３    ＲＡＭ
９０４    通信インタフェース
９０５    バス
９０６    入出力インタフェース
【図１】
0006534810.tif 000002
【図２】
0006534810.tif 000003
【図３】
0006534810.tif 000004
【図４】
0006534810.tif 000005
【図５】
0006534810.tif 000006